(57)【要約】【課題】夜間に使用しても、患者らの睡眠への影響などを軽減することが可能な輸液装置を提供する。【解決手段】動作情報を表示する表示部、動作状態を知らせるインジケータ、及び、警報音・操作音等を発生する音発生部を備えた輸液装置において、昼間設定と夜間設定とを切り替える構成とし、その夜間の設定を、昼間設定に対して、表示部の表示画面の輝度、インジケータ輝度、ブザー音量が小さい設定としている。このような構成により、夜間の就寝時間帯において患者らの睡眠への影響などを軽減することができる。また、環境騒音が静かな夜間において警報音の音量を必要最小限の大きさとすることができる。【選択図】図８
2015016200.tif 000002
【特許請求の範囲】
【請求項１】
輸液を送液する輸液装置であって、
昼間設定と、前記昼間設定に対して表示の明るさ及び発生音の音量のいずれか一方または両方が小さく設定された夜間設定とを切り替える制御部を備えていることを特徴とする輸液装置。
【請求項２】
請求項１記載の輸液装置において、
前記制御部は、夜間の時間帯を定める時刻の設定が可能であり、前記夜間の時間帯と現在の時刻とに基づいて昼間であるか夜間であるかを判定して前記昼間設定と夜間設定とを切り替えることを特徴とする輸液装置。
【請求項３】
請求項１に記載の輸液装置において、
前記制御部は、現在の月日から日の出時刻及び日の入り時刻を取得し、それら日の出時刻及び日の入り時刻と現在の時刻とに基づいて昼間であるか夜間であるかを判定して前記昼間設定と夜間設定とを切り替えることを特徴とする輸液装置。
【請求項４】
請求項１に記載の輸液装置において、
前記制御部は、周囲環境の明るさ及び周囲環境の騒音のいずれか一方または両方の環境情報を取得し、その環境情報に基づいて昼間であるか夜間であるかを判定して前記昼間設定と夜間設定とを切り替えることを特徴とする輸液装置。
【発明の詳細な説明】
【技術分野】
【０００１】
本発明は輸液装置に関する。
【背景技術】
【０００２】
医療用の薬液を体内に注入する場合などに用いる輸液装置としては、例えば、機械的注入式輸液ポンプ、重力を利用した自然滴下式輸液ポンプ、予圧注入式輸液ポンプなどの種々の方式のものが知られている。
【０００３】
機械的注入式輸液ポンプとしては、シリンジのピストンを押圧して輸液を行うシリンジ式輸液ポンプや、ペリスタルティック式輸液ポンプがある。そのペリスタルティック式輸液ポンプの一例としてフィンガ式輸液ポンプがある（例えば、特許文献１及び特許文献２参照）。フィンガ式輸液ポンプは、複数のフィンガ、その各フィンガに対応して設けられたカム、及び、カムを駆動する電動モータ等を備え、各フィンガをカムにて個別に進退駆動することにより、輸液チューブを各フィンガで順次押圧して輸液を蠕動運動にて送り出す方式の輸液装置である。
【０００４】
このような輸液装置にあっては、輸液の予定量や流量（単位時間当たりの輸液の送り量）などを設定するための操作部、及び、それら予定量や流量などの動作情報を表示する表示部などを備えている。また、輸液装置には、動作中（輸液中）である旨を知らせるインジケータや、警報音・操作音等を発生する音発生部（例えばブザー）などが設けられている（例えば、特許文献３参照）。
【先行技術文献】
【特許文献】
【０００５】
【特許文献１】特開２００８−１１３７２６号公報
【特許文献２】特開２００７−１６７３１６号公報
【特許文献３】特開２０１２−０２９９１４号公報
【発明の概要】
【発明が解決しようとする課題】
【０００６】
ところで、患者への輸液の投与は２４時間連続して行われる場合があり、夜間の就寝時間帯においても輸液装置が駆動される場合がある。このように夜間の就寝時間帯において輸液装置が動作状態であると、輸液の投与を受けてる患者や同室の患者らは、輸液装置の表示画面やインジケータから発せられる光、警報音・操作音などによって睡眠が妨げられる場合がある。また、夜間の静かな環境で輸液装置から警報音が発生すると、昼間と同じ音量でも警報音が必要以上に大きく聞こえてしまう。
【０００７】
本発明はそのような実情を考慮してなされたもので、夜間に使用しても、患者らの睡眠への影響などを軽減することが可能な輸液装置を提供することを目的とする。
【課題を解決するための手段】
【０００８】
本発明は、輸液を送液する輸液装置において、昼間設定と、前記昼間設定に対して表示の明るさ及び発生音の音量のいずれか一方または両方が小さく設定された夜間設定とを切り替える制御部を備えていることを技術的特徴としている。
【０００９】
本発明において、前記表示の明るさとは、例えば、表示画面の輝度、動作状態を知らせるインジケータの輝度、表示画面の背景色であり、夜間の設定では、それら表示画面の輝度、インジケータ輝度、及び、画面背景色のうちの少なくとも１つが昼間設定に対して暗くなるように設定する。なお、表示画面のデザインを工夫して夜間の表示が暗くなるようにしてもよい。
【００１０】
また、前記発生音の音量とは、例えば、ブザー音の音量、ガイダンス音声の音量であり、夜間の設定では、それらブザー音の音量及びガイダンス音声の音量のうちの少なくとも１つが昼間設定に対して小さくなるように設定する。
【００１１】
本発明によれば、昼間設定と夜間設定とに切り替える構成とし、その夜間の設定を、昼間設定に対して表示の明るさ（画面輝度やインジケータ輝度等）や発生音の音量（ブザー音量等）が小さい設定としているので、夜間の就寝時間帯において患者らの睡眠への影響などを軽減することができる。また、環境騒音が静かな夜間において警報音の音量を必要最小限の大きさとすることができる。
【００１２】
本発明において、現在の時刻に基づいて昼間と夜間とを判定して、上記した昼間設定と夜間設定とを切り替えるようにしてもよい。
【００１３】
その具体的な構成として、前記制御部において夜間の時間帯を定める時刻（夜間モード開始時刻及び終了時刻）の設定が可能な構成とし、その夜間の時間帯と現在の時刻とに基づいて昼間であるか夜間であるかを判定して、前記昼間設定と夜間設定とを切り替えるという構成を挙げることができる。
【００１４】
また、前記制御部において現在の月日から日の出時刻及び日の入り時刻を取得し、それら日の出時刻及び日の入り時刻と現在の時刻とに基づいて昼間であるか夜間であるかを判定して、前記昼間設定と夜間設定とを切り替えるという構成を挙げることができる。
【００１５】
また、周囲環境の明るさ及び騒音は昼間に対して夜間の方が小さいという点に着目し、前記制御部において周囲環境の明るさ及び周囲環境の騒音のいずれか一方または両方の環境情報を取得し、その環境情報に基づいて昼間であるか夜間であるかを判定して、前記昼間設定と夜間設定とを切り替えるという構成を挙げることができる。
【発明の効果】
【００１６】
本発明の輸液装置によれば、昼間設定と夜間設定とを切り替える構成とし、その夜間の設定を昼間設定に対して表示の明るさや発生音の音量が小さい設定としているので、夜間の就寝時間帯において患者らの睡眠への影響などを軽減することができる。
【図面の簡単な説明】
【００１７】
【図１】本発明を適用する輸液ポンプ（輸液装置）の一例を示す外観斜視図である。
【図２】図１の輸液ポンプの正面図である。
【図３】図１の輸液ポンプを扉を開いた状態で示す概略構成図である。
【図４】輸液ポンプの制御系の構成を示すブロック図である。
【図５】液晶表示部の表示例を示す図である。
【図６】夜間モード設定時の液晶表示部の表示例を示す図である。
【図７】夜間モード設定時の液晶表示部の表示例を示す図である。
【図８】昼間設定と夜間設定とを切り替える処理の一例を示すフローチャートである。
【図９】昼間設定と夜間設定とを切り替える処理の他の例を示すフローチャートである。
【図１０】輸液ポンプの制御系の他の構成を示すブロック図である。
【図１１】昼間設定と夜間設定とを切り替える処理の別の例を示すフローチャートである。
【発明を実施するための形態】
【００１８】
以下、本発明の実施形態を図面に基づいて説明する。
【００１９】
［実施形態１］
本発明を適用する輸液ポンプの一例について図１〜図４参照して説明する。
【００２０】
この例の輸液ポンプ１は、ペリスタルティックフィンガ式の輸液ポンプであって、ポンプ本体１１と、このポンプ本体１１の前面側（チューブ装着部）を閉鎖する扉１２とを備えている。扉１２はヒンジ１３，１３を介してポンプ本体１１に揺動自在（回転自在）に支持されており、ポンプ本体１１の前面側を完全に閉鎖する位置から、完全開放位置（例えば、１８０°開く位置）までの間において揺動可能となっている。
【００２１】
ポンプ本体１１の前面壁１１０にはチューブ装着ガイド（ガイド溝）１１１が設けられている。チューブ装着ガイド１１１は、輸液送り方向の上流側から順に、上流側ガイド部１１１ａ、この上流側ガイド部１１１ａから矩形状に拡大したポンプフィンガ部１１１ｂ、及び、下流側ガイド部１１１ｃを備えている。ポンプフィンガ部１１１ｂには、ポンプ機構２のフィンガ２１・・２１の先端部が臨んでいる。
【００２２】
チューブ装着ガイド１１１の上流側ガイド部１１１ａは横方向に湾曲した形状（曲り形状）に形成されており、その先端部が輸液チューブ入口１ａとなっている。また、ポンプフィンガ部１１１ｂの下流側の下流側ガイド部１１１ｃは上下方向に直線状に延びる形状に形成されている。この下流側ガイド部１１１ｃの下端部が輸液チューブ出口１ｂとなっている。
【００２３】
上流側ガイド部１１１ａの溝幅及び下流側ガイド部１１１ｃの溝幅は、それぞれ、薬液バッグに接続される輸液チューブ（例えば、ポリ塩化ビニルやポリブタジエン製）Ｔの外径（直径）に対応する大きさとなっており、これら上流側ガイド部１１１ａ及び下流側ガイド部１１１ｃに輸液チューブＴを嵌め込むことによって、輸液ポンプ１に輸液チューブＴを装着することができる。なお、下流側ガイド部１１１ｃには、ポンプ本体１１に装着された輸液チューブＴ内に混入した気泡を検出する気泡センサ（例えば、超音波センサ）７１が配置されている。
【００２４】
ポンプ本体１１及び扉１２には、扉１２を閉めたときに、その閉鎖状態を保持するための扉ロック機構１４が設けられている。扉ロック機構１４は、扉１２側に配置のドアロックレバー１４ａ、及び、ポンプ本体１１側に配置のフック１４ｂなどによって構成されており、扉１２を閉鎖した状態でドアロックレバー１４ａを回動操作してフック１４ｂに引っ掛けることによって扉１２を閉鎖状態にロックすることができる。
【００２５】
扉１２の内面側には押圧板２３が設けられている。また、扉１２の内面側には、輸液チューブＴの下流側の閉鎖を検知する閉塞センサ７２が設けられている。押圧板２３は、扉１２を閉鎖した状態で上記ポンプ機構２のフィンガ２１（最後退位置のフィンガ２１）の先端に対して所定の間隔（輸液チューブＴの外径（直径）に相当する間隔）をあけて対向するようになっている。
【００２６】
また、扉１２の前面には、各種情報を表示する液晶表示部３の液晶パネル３１、及び、後述するスイッチ類が配列された操作部４が配置されている。さらに、扉１２の上部中央に当該輸液ポンプ１の動作状態を知らせるインジケータ５が配置されている。
【００２７】
−ポンプ機構−
ポンプ機構２は、一方向（上記ポンプ本体１１のポンプフィンガ部１１１ｂに装着した輸液チューブＴに沿う方向（上下方向））に沿って配列された複数のフィンガ２１・・２１、その各フィンガ２１をそれぞれ個別に進退駆動（輸液チューブＴに対して前進・後退）するための偏心カム及びカム軸（いずれも図示せず）、このカム軸に回転力を与える電動モータ２２（図４参照）、及び、上記した押圧板２３などによって構成されている。
【００２８】
そして、このような構成のポンプ機構１において、電動モータ２２を駆動すると、その電動モータ２２の駆動によりカム軸が回転して各フィンガ２１が上流側（輸液送り方向の上流側）から下流側にかけて順次前進・後退していく。このようなフィンガ２１・・２１の進退移動（往復移動）によって、これらフィンガ２１・・２１の先端部と押圧板２３との間に配置された輸液チューブＴに蠕動運動が付与され、当該輸液チューブＴ内の輸液が上流側から下流側へと送り出されていく。
【００２９】
なお、ポンプ機構２の具体的な構成等については、例えば、特開２０１３−００６０２１号公報、特開２０１２−２４９６５１号公報、特開２０１２−２４５１１１号公報などを参照。
【００３０】
−液晶表示部・操作部−
液晶表示部３は、液晶パネル（バックライト付）３１及びその駆動ドライバ（図示せず）などによって構成されており、その液晶パネル３１が扉１２の前面に配置されている。液晶パネル３１の画面上には、積算量［ｍＬ］、輸液の予定量［ｍＬ］、流量［ｍＬ／ｈ］などの動作情報、警報情報（メッセージ等）、及び、ユーザが各種設定を行うためのユーザ設定画面などが表示される。
【００３１】
液晶パネル３１の画面上に表示される表示画面の一例を図５に示す。この図５に示す表示画面は輸液ポンプ１の動作中における基本表示画面の例であって、［積算量  ０ｍＬ］、［予定量  ５００ｍＬ］、［流量  １００ｍＬ／ｈ］の動作情報に加えて、夜間モードが設定されている旨を示すメッセージ［夜間モード：ＯＮ］が表示されている。
【００３２】
操作部４は、図２に示すように、開始スイッチ４１、停止スイッチ４２、輸液準備の際に使用する早送りスイッチ４３、表示切替スイッチ４４、数値設定アップスイッチ４５、数値設定ダウンスイッチ４６、積算量リセットスイッチ４７、及び、点滴針サイズ選択スイッチ４８などを備えている。
【００３３】
表示切替スイッチ４４は、数値等を入力する項目（例えば、流量、予定量、予定時間など）への表示の切り替えを行うためのスイッチである。
【００３４】
数値設定アップスイッチ４５、数値設定ダウンスイッチ４６は、流量、予定量、予定時間などの数値を増加または減少させるスイッチであって、それぞれ、右側の１桁目の数値設定用スイッチ、中央の２桁目の数値設定用スイッチ、及び、左側の３桁目の数値設定用スイッチの合計３つのスイッチで構成されている。
【００３５】
これら表示切替スイッチ４４、数値設定アップスイッチ４５、数値設定ダウンスイッチ４６、上記開始スイッチ４１及び停止スイッチ４２は、後述する夜間モード設定などのユーザ設定を行う際の設定スイッチとしても使用される。
【００３６】
−制御部−
次に、制御部２００について説明する。
【００３７】
制御部２００は、マイクロコンピュータ等を主体として構成されており、ＣＰＵ(Central Processing Unit)、ＲＯＭ(Read Only Memory)、ＲＡＭ(Random Access Memory)、不揮発性ＲＡＭ、Ｉ／Ｏインターフェース、タイマ２０１（図４参照）、及び、これらの機能部を互いに接続するバスラインなど備えている。
【００３８】
タイマ２０１は現在の年・月・日・時刻を計時して出力する。制御部２００は、タイマ２０１の出力に基づいて現在の年・月・日・時刻を認識することができる。なお、タイマ２０１は、電池等のバックアップ電源により電源が供給されており、輸液ポンプ１が電源断（電源ＯＦＦ）になっても上記計時を維持する。
【００３９】
制御部２００には、図４に示すように、操作部４、気泡センサ７１、閉塞センサ７２、及び、電源スイッチ７（例えばポンプ本体１１の裏面に配置）などが接続されており、それら操作部４のスイッチ類やセンサからの信号が制御部２００に入力される。また、制御部２００には、液晶表示部３、インジケータ５、音発生部６、及び、上記ポンプ機構２の駆動用の電動モータ２２などが接続されている。
【００４０】
インジケータ５は、緑色と赤色を発光するＬＥＤランプ（もしくはＥＬランプ）及びその駆動回路などを有する。また、音発生部６はブザー及びその駆動回路などを有する。
【００４１】
そして、制御部２００は、操作部４のスイッチ類の操作にて設定された輸液の流量の設定値に応じて、ポンプ機構２の電動モータ２２の回転数を制御することにより輸液流量を可変に調整する。この例では、例えば輸液流量を１ｍＬ／ｈ〜１２００ｍＬ／ｈの範囲内において、［１ｍＬ／ｈ］単位で設定することができる。
【００４２】
また、制御部２００は、液晶表示部３、インジケータ５、及び、音発生部６に対して以下のような制御・処理を行う。
【００４３】
＜液晶表示部の制御＞
（ａ１）液晶表示部３の液晶パネル３１の画面上に動作情報（図５参照）を表示する処理。
【００４４】
（ａ２）気泡センサ７１と閉塞センサ７２の各出力信号に基づいて気泡異常や、輸液装置より下流側における  チューブ閉塞などによる閉塞不良が発生している否かを判定し、異常が発生している場合は、その旨を示すメッセージを液晶パネル３１の画面上に表示する処理、及び、その他の各種の警報（メッセージ）を液晶パネル３１の画面上に表示する処理。
【００４５】
（ａ３）液晶パネル３１の表示画面の輝度（バックライト光量）を調整する制御。この例では、ユーザ設定等に応じて、表示画面の輝度を０（暗い）〜５（明るい）の６段階で調整することができる。
【００４６】
（ａ４）液晶パネル３１の表示画面の背景色を調整する制御。この例では、ユーザ設定等に応じて背景色を［白色］または［紺色］のいずれか一方を設定することができる。
【００４７】
（ａ５）後述する夜間モード設定を含む各種ユーザ設定を行う際に、液晶パネル３１の画面上に各種ユーザ設定画面を表示する処理、及び、そのユーザ設定にて設定された各種情報を不揮発性ＲＡＭなどに記憶する処理。
【００４８】
＜インジケータの制御＞
（ｂ１）輸液ポンプ１が動作中（輸液中）のときにインジケータ５を緑色で点滅する処理、及び、警報時にインジケータ５を赤色で点滅する処理。
【００４９】
（ｂ２）インジケータ５の輝度を調整する制御。この例では、ユーザ設定等に応じて、輝度を［暗い］または［明るい］のいずれか一方に設定することができる。
【００５０】
＜音発生部の制御＞
（ｃ１）上記した気泡異常時、輸液装置より下流側における  チューブ閉塞などによる閉塞不良時、及び、その他の各種の警報時にブザー音を発生する処理。
【００５１】
（ｃ２）ブザー音の音量を調整する制御。この例では、ユーザ設定等に応じて、ブザー音量を、［小（最小音量）］、［中（中間音量）］、［大（最大音量）］の３段階で調整することができる。
【００５２】
（ｃ３）操作部４のスイッチ類が操作されたときにブザー音（スイッチ受付音）を発生する処理。この例では、ユーザ設定等によりスイッチ受付音［有り］と［無し］とを選択することができる。
【００５３】
−夜間モード設定−
次に、夜間モード設定について説明する。
【００５４】
まず、本実施形態では、夜間モード設定の際に、［夜間モード開始・終了時刻］、［表示画面の輝度・背景色］、［インジケータ輝度］、［ブザー音量・スイッチ受付音］を設定（変更）することができる。その各設定内容について説明する。
【００５５】
［夜間モード開始・終了時刻］
操作部４のスイッチ類の操作により、夜間モードの開始時刻及び終了時刻を設定することができる。その設定された夜間モードの開始時刻及び終了時刻は制御部２００の不揮発性ＲＡＭなどに記憶される。
【００５６】
［表示画面の輝度・背景色］
液晶パネル３１の表示画面の輝度（明るさ）については、上記したように、０（暗い）〜５（明るい）の６段階の輝度レベルが設定されており、後述する夜間モード画面設定により画面の輝度が［暗い］に設定された場合には、制御部２００は、夜間の時間帯のときに、液晶パネル３１の表示輝度を、上記６段階の輝度レベルのうち最も低いレベル［０（暗い）］に制御する。この［０（暗い）］の輝度レベルについては、例えば、患者らの就寝を妨げないようにするために、看護師等のユーザが液晶パネル３１の表示画像（文字等）を確認できる程度の最小限の明るさとしている。
【００５７】
液晶パネル３１の表示画面の背景色としては、上記したように［白色］と［紺色］とが設定されており、後述する夜間モード画面設定により画面の背景色が［紺］に設定された場合には、制御部２００は、夜間の時間帯のときに、液晶パネル３１の背景色を紺色に制御する。
【００５８】
［インジケータ輝度］
インジケータ５の輝度（明るさ）については、上記したように、［暗い］または［明るい］の２段階の輝度レベルが設定されており、後述する夜間モード画面設定によりインジケータ輝度が［暗い］に設定された場合には、制御部２００は、夜間の時間帯のときに、インジケータ５の輝度を［暗い］レベルとなるように制御する。この［暗い］の輝度レベルについては、例えば、患者らの就寝を妨げないようにするために、看護師等が認識できる程度の最小限の明るさとしている。
【００５９】
［警報音量・スイッチ受付音］
音発生部６が発生するブザー音の音量としては、上記したように、［小（最小音量）］〜［大（最大音量）］の３段階の音量レベルが設定されており、後述する夜間モード画面設定によりブザー音量が［小］に設定された場合には、制御部２００は、夜間の時間帯のときに、ブザー音量を、上記３段階の音量レベルのうち最も低いレベル［最小音量］に調整する。この［最小音量］は、輸液ポンプの発生音に関する承認基準等で定められている音量の下限レベルと同じ音量レベルもしくはその下限レベルに所定のマージンを加えた音量レベルとする。また、スイッチ受付音については、後述する夜間モード画面設定により［無し］が設定された場合には、制御部２００はスイッチ受付音を発生しないようにする。
【００６０】
［夜間モード設定処理］
次に、夜間モード設定処理の一例について図６及び図７を参照して以下に説明する。
【００６１】
［ユーザ設定画面表示］
まず、液晶表示部３の液晶パネル３１の画面上にユーザ設定画面を表示する。具体的には、例えば、電源切りの状態のときに、操作部４の停止スイッチ４２を押したままの状態で電源スイッチ７をＯＮにする。このような操作により、液晶パネル３１の画面上に、図６（ａ）に示すユーザ設定画面（メニュー画面）が表示される。
【００６２】
［夜間モードＯＮ設定］
図６（ａ）に示すユーザ設定画面において、上記数値設定アップスイッチ４５または数値設定ダウンスイッチ４６を操作（以下、「アップ／ダウンスイッチ操作」ともいう）して液晶パネル３１の画面上に表示されている“夜間モード設定”の項を選択し、この状態で操作部４の開始スイッチ４１を押す。
【００６３】
このような操作により液晶パネル３１の画面上に“夜間モード［ＯＦＦ］”または“夜間モード［ＯＮ］”（図６（ｂ）参照）が表示される。その表示が“夜間モード［ＯＮ］”である場合（事前に夜間モードが設定されている場合）は、その［ＯＮ］設定のままとする。一方、表示が“夜間モード［ＯＦＦ］”である場合（事前に夜間モードが設定されていない場合）は、図６（ｂ）に示すフレームｆ１内の表示を［ＯＦＦ］から［ＯＮ］に変更する。具体的には、［開始スイッチ４１を押す］→［アップ／ダウンスイッチ操作により［ＯＮ］を選択］→［開始スイッチ４１を押す］という手順でフレームｆ１内の表示を［ＯＦＦ］から［ＯＮ］に変更する。このような夜間モードＯＮ設定が終了した後に表示切替スイッチ４４を押すと、図６（ｃ）に示す夜間モード設定画面が表示される。
【００６４】
なお、夜間モード設定をＯＦＦにする場合は、図６（ｂ）に示す状態から、上記と同様な操作によりフレームｆ１内の表示を［ＯＮ］から［ＯＦＦ］に変更すればよい。
【００６５】
［時刻設定］
図６（ｃ）に示す夜間モード設定画面から、夜間モードの開始時刻及び終了時刻を設定する場合、アップ／ダウンスイッチ操作により、液晶パネル３１の画面上に表示されている“時刻設定”の項を選択した後に開始スイッチ４１を押す。このような操作により液晶パネル３１の画面上に、図７（ａ）に示す夜間モード時刻設定画面が表示される。
【００６６】
この表示状態で、操作部４のスイッチ類を操作して開始時刻と終了時刻を設定（変更）する（フレームｆ２，ｆ３内に時刻を入力する）。具体的には、［アップ／ダウンスイッチ操作によりフレームｆ２またはフレームｆ３を選択］→［開始スイッチ４１を押す］→［アップ／ダウンスイッチ操作により時刻設定］→［開始スイッチ４１を押す］という手順で、フレームｆ２内に開始時刻を設定し、フレームｆ３内に終了時刻を設定する。
【００６７】
以上の時刻設定（変更）を行った後に表示切替スイッチ４４を押すことにより、液晶パネル３１の表示が図６（ｃ）に示す夜間モード設定画面に切り替わる。
【００６８】
ここで、この例では、図７（ａ）に示すように、夜間モード開始時刻として［２１：００］を設定し、夜間モード終了時刻として［６：００］を設定している。なお、夜間モード開始時刻及び終了時刻については、このような時刻（２１：００、６：００）に限られることなく、各病院の就寝時間や季節などを考慮して、他の時刻を適宜に設定するようにしてもよい。
【００６９】
［画面設定］
図６（ｃ）に示す夜間モード設定画面から、液晶パネル３１の画面の輝度及び背景色を設定する場合、アップ／ダウンスイッチ操作により、液晶パネル３１の画面上に表示されている“画面設定”の項を選択した後に開始スイッチ４１を押す。この操作により液晶パネル３１の画面上に夜間モード画面設定画面（図７（ｂ）参照）が表示される。
【００７０】
このとき、事前に夜間モードが設定されていない場合、図７（ｂ）に示す画像の輝度のフレームｆ４には、例えば輝度レベルが３であることを示す［３］が表示されており、また、背景色のフレームｆ５には［白］が表示されている。このような場合には、フレームｆ４内の表示を［３］から［暗い］に変更し、また、フレームｆ５内の表示を［白］から［紺］に変更する（図７（ｂ））。具体的には、［アップ／ダウンスイッチ操作によりフレームｆ４またはフレームｆ５を選択］→［開始スイッチ４１を押す］→［アップ／ダウンスイッチ操作により［暗い］・［紺色］を選択］→［開始スイッチ４１を押す］という手順で変更する。この後に、表示切替スイッチ４４を押すと、液晶パネル３１の表示が図６（ｃ）に示す夜間モード設定画面に切り替わる。なお、背景色については、夜間モードＯＮとする場合でも［白］を選択するようにしてもよい。
【００７１】
［インジケータ設定］
図６（ｃ）に示す夜間モード設定画面から、インジケータ５の輝度を設定する場合、アップ／ダウンスイッチ操作により、液晶パネル３１の画面上に表示されている“インジケータ設定”の項を選択した後に開始スイッチ４１を押す。この操作により液晶パネル３１の画面上に夜間モードインジケータ設定画面（図７（ｃ）参照）が表示される。
【００７２】
このとき、事前に夜間モードが設定されていない場合、図７（ｃ）に示す画像の輝度のフレームｆ６には［明るい］が表示されている。このような場合には、上記した［夜間モードＯＮ設定］と同様な手順で、フレームｆ６内の表示を［明るい］から［暗い］に変更する（図７（ｃ））。この後に、表示切替スイッチ４４を押すと、液晶パネル３１の表示が図６（ｃ）に示す夜間モード設定画面に切り替わる。
【００７３】
［音設定］
図６（ｃ）に示す夜間モード設定画面から、ブザー音量及びスイッチ受付音を設定する場合、アップ／ダウンスイッチ操作により、液晶パネル３１の画面上に表示されている“音設定”の項を選択した後に開始スイッチ４１を押す。この操作により液晶パネル３１の画面上に夜間モード音設定画面（図７（ｄ）参照）が表示される。
【００７４】
このとき、事前に夜間モードが設定されていない場合、図７（ｄ）に示す画像の輝度のフレームｆ７には、例えばブザー音量が中間レベルであることを示す［中］が表示されており、また、スイッチ受付音のフレームｆ８には［有り］が表示されている。このような場合には、上記した［画面設定］と同様な手順で、フレームｆ７内の表示を［中］から［小］に変更し、また、フレームｆ８内の表示を［有り］から［無し］に変更する（図７（ｄ））。この後に、表示切替スイッチ４４を押すと、液晶パネル３１の表示が図６（ｃ）に示す夜間モード設定画面に切り替わる。
【００７５】
以上の夜間モード設定処理が終了した後に、電源スイッチ７をＯＦＦにして輸液ポンプ１を電源切りの状態にする。
【００７６】
ここで、上記した［時刻設定］、［画面設定］、［インジケータ設定］、［音設定］の各処理は、この順で行う必要はなく、例えば、［音設定］→［画面設定］→［インジケータ設定］→［時刻設定］の順で処理を行うようにしてもよいし、他の順番で処理を行うようにしてもよい。また、これらの処理の全てを行う必要はなく、例えば、事前に夜間モード設定が行われている場合、変更したい項目（例えば［時刻設定］）の処理のみを行うようにしてもよい。
【００７７】
［昼間設定／夜間設定切替処理］
次に、昼間設定と夜間設定とを切り替える処理について図８のフローチャートを参照して説明する。この図８の処理ルーチンは制御部２００において実行される。なお、図８の制御ルーチンのサイクルタイムは例えば数ｓｅｃ程度である。
【００７８】
図８の処理ルーチンは、操作部４の開始スイッチ４１がＯＮに操作された時点（電源ＯＮ）で開始される。この処理ルーチンが開始されると、まずは、ステップＳＴ１０１において現在の時刻を認識（タイマ２０１の出力から認識）する。
【００７９】
次に、ステップＳＴ１０２において、上記ステップＳＴ１０１で認識した現在の時刻が夜間の時間帯（上記設定処理により設定された夜間モード開始時刻２１：００から夜間モード終了時刻６：００までの時間帯）であるか否かを判定する。その判定結果が否定判定（ＮＯ）である場合は、現在の時刻が昼間の時間帯（６：００〜２１：００）であると判定してステップＳＴ１０４に進む。
【００８０】
ステップＳＴ１０４では、昼間設定にしたがって液晶表示部３の液晶パネル３１、インジケータ５及び音発生部６を制御する。具体的には、昼間の設定として、この例では、液晶パネル３１の画面輝度：［３］、背景色：［白］、インジケータ輝度：［明るい］、ブザー音：［中］、スイッチ受付音：［有り］が設定されており、この昼間設定にしたがって、液晶表示部３の液晶パネル３１、インジケータ５及び音発生部６を制御する。
【００８１】
この昼間設定モードでの制御中に、操作部４の停止スイッチ４２が操作されて電源ＯＦＦとなった場合（ステップＳＴ１０５の判定結果が肯定判定（ＹＥＳ）となった場合）は、この処理ルーチンを終了する。一方、ステップＳＴ１０５の判定結果が否定判定（ＮＯ）である場合（電源ＯＮの状態である場合）は、ステップＳＴ１０１に戻って現在の時刻を認識し、その現在の時刻が２１：００に到達するまで昼間設定モードでの制御（ステップＳＴ１０４の処理）が継続される。そして、現在の時刻が２１：００に達した時点（［現在の時刻＝２１：００］となった時点）でステップＳＴ１０２の判定結果が肯定判定（ＹＥＳ）となり、この時点で現在の時刻が夜間の時間帯に入ったと判定してステップＳＴ１０３に進む。
【００８２】
ステップＳＴ１０３では、夜間設定にしたがって液晶表示部３の液晶パネル３１、インジケータ５及び音発生部６を制御する。具体的には、上記した設定処理により、夜間の設定として、液晶パネル３１の画面輝度：［０］、背景色：［紺］、インジケータ輝度：［暗い］、ブザー音：［小］、スイッチ受付音：［無し］が設定されており、この夜間設定にしたがって、液晶表示部３の液晶パネル３１、インジケータ５及び音発生部６を制御する。
【００８３】
この夜間設定モードでの制御中に、操作部４の停止スイッチ４２が操作されて電源ＯＦＦとなった場合（ステップＳＴ１０５の判定結果が肯定判定（ＹＥＳ）となった場合）は、この処理ルーチンを終了する。一方、ステップＳＴ１０５の判定結果が否定判定（ＮＯ）である場合（電源ＯＮの状態である場合）は、ステップＳＴ１０１に戻って現在の時刻を認識し、その現在の時刻が翌朝の６：００に到達するまで夜間設定モードでの制御（ステップＳＴ１０３の処理）が継続される。そして、現在の時刻が６：００に達した時点（［現在の時刻＝６：００］となった時点）で、ステップＳＴ１０２の判定結果が否定判定（ＮＯ）となり、この時点で現在の時刻が昼間の時間帯に入ったと判定してステップＳＴ１０４に進み、上記した昼間モードでの制御を実行する。
【００８４】
この２回目の昼間モードでの制御を開始した後、現在の時刻が２１：００に達するまでに電源ＯＦＦとなった場合は処理を終了する。なお、輸液時間が長時間にわたる場合、２回目の昼間モードでの制御の以降においても、夜間モードでの制御と昼間モードでの制御とが繰り返して実行される場合もある。この場合でも、各モードでの制御中に電源ＯＦＦとなった時点で処理を終了する。
【００８５】
＜効果＞
以上のように、本実施形態によれば、昼間設定と夜間設定とを切り替える構成とし、その夜間の設定を、昼間設定に対して、液晶表示部３の表示画面の輝度、インジケータ５の輝度及びブザー音の音量が小さい設定としているので、夜間の就寝時間帯において患者らの睡眠への影響などを軽減することができる。また、環境騒音が静かな夜間において警報音の音量（ブザー音量）を必要最小限の大きさとすることができる。さらに、夜間ではスイッチ受付音が発生しないようにしているので、看護師等のユーザが夜間に操作部４のスイッチ類を操作しても静かな環境を保つことができる。
【００８６】
また、本実施形態では、夜間において液晶表示部３の背景色を紺色とすることが可能であり、このように背景色を暗い色とすることにより、夜間における明るさ低減効果をより高めることができる。
【００８７】
［実施形態２］
次に、本発明を適用する輸液ポンプの他の例について説明する。
【００８８】
この例では、日の出時刻と日の入り時刻とを読み出すための暦テーブルが制御部２００（図４参照）のＲＯＭ内に記憶されている。暦テーブルには、１年の各月日ごとに日の出時刻と日の入り時刻とが設定されており、現在の月日に基づいて当該暦テーブルを参照して現在の日の出時刻と日の入り時刻とを読み出すことができる。なお、暦テーブルの日の出時刻及び日の入り時刻については、輸液ポンプ１が使用される各地域（例えば関東、東海、近畿等）に合わせた時刻が設定されている。
【００８９】
以上の暦テーブルの構成及び下記の制御部２００の処理内容以外の構成については上記した［実施形態１］と同様な構成であるので、その具体的な説明は省略する。
【００９０】
そして、この例では、日の出時刻と日の入り時刻の時刻を利用して、昼間設定と夜間設定とを切り替えるようにしている。その具体的な処理の例について図９のフローチャートを参照して説明する。この図９の処理ルーチンは制御部２００において実行可能である。なお、図９の制御ルーチンのサイクルタイムは例えば数ｓｅｃ程度である。
【００９１】
図９の処理ルーチンは、操作部４の開始スイッチ４１がＯＮに操作された時点（電源ＯＮ）で開始される。この処理ルーチンが開始されると、まずは、ステップＳＴ２０１において現在の月日を認識（タイマ２０１の出力から認識）する。ステップＳＴ２０２では、上記ステップＳＴ２０１で認識した現在の月日に基づいて、上記暦テーブルから日の出時刻と日の入り時刻とを読み出す。
【００９２】
次に、ステップＳＴ２０３において現在の時刻を認識（タイマ２０１の出力から認識）する。ステップＳＴ２０４では、上記ステップＳＴ２０３で認識した現在の時刻が夜間の時間帯（日の入り時刻〜日の出時刻の時間帯）であるか否かを判定する。その判定結果が否定判定（ＮＯ）である場合は、現在の時刻が、日の出時刻から日の入り時刻までの昼間の時間帯に入っていると判定してステップＳＴ２０６に進む。
【００９３】
ステップＳＴ２０６では、昼間設定にしたがって液晶表示部３の液晶パネル３１、インジケータ５及び音発生部６を制御する。このステップＳＴ２０６の処理は、上記した［実施形態１］の図８におけるステップＳＴ１０４の処理と同じであるので、その詳細な説明は省略する。
【００９４】
この昼間設定モードでの制御中に、操作部４の停止スイッチ４２が操作されて電源ＯＦＦとなった場合（ステップＳＴ２０７の判定結果が肯定判定（ＹＥＳ）となった場合）は、この処理ルーチンを終了する。一方、ステップＳＴ２０７の判定結果が否定判定（ＮＯ）である場合（電源ＯＮの状態である場合）は、ステップＳＴ２０３に戻って現在の時刻を認識し、その現在の時刻が上記日の入り時刻に到達するまで昼間設定モードでの制御（ステップＳＴ２０６の処理）が継続される。そして、現在の時刻が日の入りの時刻に達した時点（［現在の時刻＝日の入り時刻］となった時点）で、ステップＳＴ２０４の判定結果が肯定判定（ＹＥＳ）となり、この時点で現在の時刻が夜間の時間帯に入ったと判定してステップＳＴ２０５に進む。
【００９５】
ステップＳＴ２０５では、夜間設定にしたがって液晶表示部３の液晶パネル３１、インジケータ５及び音発生部６を制御する。このステップＳＴ２０５の処理は、上記した［実施形態１］の図８におけるステップＳＴ１０３の処理と同じであるので、その詳細な説明は省略する。
【００９６】
この夜間設定モードでの制御中に、操作部４の停止スイッチ４２が操作されて電源ＯＦＦとなった場合（ステップＳＴ２０７の判定結果が肯定判定（ＹＥＳ）となった場合）は、この処理ルーチンを終了する。一方、ステップＳＴ２０７の判定結果が否定判定（ＮＯ）である場合（電源ＯＮの状態である場合）は、ステップＳＴ２０３に戻って現在の時刻を認識し、その現在の時刻が上記日の出時刻に到達するまで夜間設定モードでの制御（ステップＳＴ２０５の処理）が継続される。そして、現在の時刻が上記日の出時刻に達した時点（［現在の時刻＝日の出時刻］となった時点）でステップＳＴ２０４の判定結果が否定判定（ＮＯ）となり、この時点で現在の時刻が昼間の時間帯に入ったと判定してステップＳＴ２０６に進み、上記した昼間モードでの制御を実行する。
【００９７】
この２回目の昼間モードでの制御を開始した後、現在の時刻が日の入り時刻に達するまでに電源ＯＦＦとなった場合は処理を終了する。なお、輸液時間が長時間にわたる場合、２回目の昼間モードでの制御の以降においても、夜間モードでの制御と昼間モードでの制御とが繰り返して実行される場合もある。この場合でも、各モードでの制御中に電源ＯＦＦとなった時点で処理を終了する。
【００９８】
以上のように、この実施形態においても、昼間設定と夜間設定とを切り替える構成とし、その夜間の設定を、昼間設定に対して、液晶表示部３の表示画面の輝度、インジケータ５の輝度及びブザー音の音量が小さい設定としているので、上記した［実施形態１］と同じ効果を達成することができる。
【００９９】
［実施形態３］
次に、本発明を適用する輸液ポンプの別の例について説明する。
【０１００】
この例では、昼間に対して夜間の方が周囲環境の明るさが暗いという点に着目し、図１０に示すように、周囲環境の明るさ（以下、環境照度ともいう）を検出する明るさセンサ３０を設けた構成とし、その明るさセンサ３０の出力に基づいて制御部２００が昼間であるか夜間であるかを判定して昼間設定と夜間設定とを切り替えるようにしている。
【０１０１】
なお、上記明るさセンサ３０の構成及び下記の制御部２００の処理内容以外の構成については上記した［実施形態１］と同様な構成であるので、その具体的な説明は省略する。
【０１０２】
以下、昼間設定と夜間設定とを切り替える制御について、図１１のフローチャートを参照して説明する。この図１１の処理ルーチンは制御部２００において実行可能である。なお、図１１の制御ルーチンのサイクルタイムは例えば数ｓｅｃ程度である。
【０１０３】
図１１の処理ルーチンは、操作部４の開始スイッチ４１がＯＮに操作された時点（電源ＯＮ）で開始される。この処理ルーチンが開始されると、まずはステップＳＴ３０１において、明るさセンサ３０の出力信号に基づいて現在の環境照度を採取する。
【０１０４】
次に、ステップＳＴ３０２では、上記ステップＳＴ３０１で採取した環境照度が判定閾値以下であるか否かを判定する。
【０１０５】
このステップＳＴ３０２の判定処理に用いる判定閾値は、昼間と夜間とを判別するための値であって、実験やシミュレーション等によって経験的に求めた値（昼間と夜間との境となる照度）を設定する。なお、この判定閾値については、輸液ポンプ１が使用される病棟等の環境条件（昼間と夜間との明るさ等）や季節などに応じて適宜に可変に設定できるようにしてもよい。
【０１０６】
上記ステップＳＴ３０２の判定結果が否定判定（ＮＯ）である場合、つまり、現在の環境照度が上記判定閾値よりも大きい場合（［環境照度＞判定閾値］である場合）は、昼間であると判定してステップＳＴ３０４に進む。
【０１０７】
ステップＳＴ３０４では、昼間設定にしたがって液晶表示部３の液晶パネル３１、インジケータ５及び音発生部６を制御する。このステップＳＴ３０４の処理は、上記した［実施形態１］の図８におけるステップＳＴ１０４の処理と同じであるので、その詳細な説明は省略する。
【０１０８】
この昼間設定モードでの制御中に、操作部４の停止スイッチ４２が操作されて電源ＯＦＦとなった場合（ステップＳＴ３０５の判定結果が肯定判定（ＹＥＳ）となった場合）は、この処理ルーチンを終了する。一方、ステップＳＴ３０５の判定結果が否定判定（ＮＯ）である場合（電源ＯＮの状態である場合）は、ステップＳＴ３０１に戻って現在の環境照度を採取し、その現在の環境照度が上記判定閾値に低下するまで昼間設定モードでの制御（ステップＳＴ３０４の処理）が継続される。この昼間設定モードでの制御の継続中において現在の環境照度は上記判定閾値よりも大きい。そして、現在の環境照度が上記判定閾値よりも大きい状態から低下して当該判定閾値に達した時点でステップＳＴ３０２の判定結果が肯定判定（ＹＥＳ）となり、この時点で夜間になったと判定してステップＳＴ３０３に進む。
【０１０９】
ステップＳＴ３０３では、夜間設定にしたがって液晶表示部３の液晶パネル３１、インジケータ５及び音発生部６を制御する。このステップＳＴ３０３の処理は、上記した［実施形態１］の図８におけるステップＳＴ１０３の処理と同じであるので、その詳細な説明は省略する。
【０１１０】
この夜間設定モードでの制御中に、操作部４の停止スイッチ４２が操作されて電源ＯＦＦとなった場合（ステップＳＴ３０５の判定結果が肯定判定（ＹＥＳ）となった場合）は、この処理ルーチンを終了する。一方、ステップＳＴ３０５の判定結果が否定判定（ＮＯ）である場合（電源ＯＮの状態である場合）は、ステップＳＴ３０１に戻って現在の環境照度を採取し、その現在の環境照度が上記判定閾値に上昇するまで夜間設定モードでの制御（ステップＳＴ３０３の処理）が継続される。この夜間設定モードでの制御の継続中において現在の環境照度は上記判定閾値よりも小さい。そして、現在の環境照度が上記判定閾値よりも小さい状態から上昇して当該判定閾値に達した時点でステップＳＴ３０２の判定結果が否定判定（ＮＯ）となり、この時点で昼間になったと判定してステップＳＴ３０４に進み、上記した昼間モードでの制御を実行する。
【０１１１】
この２回目の昼間モードでの制御を開始した後、現在の環境照度が上記判定閾値に低下するまでに電源ＯＦＦとなった場合は処理を終了する。なお、輸液時間が長時間にわたる場合、２回目の昼間モードでの制御の以降においても、夜間モードでの制御と昼間モードでの制御とが繰り返して実行される場合もある。この場合でも、各モードでの制御中に電源ＯＦＦとなった時点で処理を終了する。
【０１１２】
以上のように、この実施形態においても、昼間設定と夜間設定とを切り替える構成とし、その夜間の設定を、昼間設定に対して、液晶表示部３の表示画面の輝度、インジケータ５の輝度及びブザー音の音量が小さい設定としているので、上記した［実施形態１］と同じ効果を達成することができる。
【０１１３】
ここで、周囲環境の明るさのほか、周囲環境の騒音についても昼間に対して夜間の方が小さくなる。こうした点を利用して、周囲環境の騒音をマイクロフォン等によって検出し、その検出した周囲環境の騒音に基づいて昼間であるか夜間であるかを判定して、上記昼間設定と夜間設定とを切り替えるようにしてもよい。また、そのような周囲環境の騒音及び上記した周囲環境の明るさの２つの環境情報に基づいて昼間であるか夜間であるかを判定して、上記昼間設定と夜間設定とを切り替えるようにしてもよい。
【０１１４】
−他の実施形態−
以上の各実施形態では、夜間における液晶表示部３の表示画面の輝度、インジケータ５の輝度、及び、ブザー音の音量を昼間に対して小さい設定としているが、本発明はこれに限定されず、それら表示画面の輝度、インジケータ輝度、ブザー音量のいずれか１つもしくは２つが昼間に対して夜間の方が小さくなるように設定してもよい。なお、ガイダンス音声を発生する構成の輸液装置の場合、そのガイダンス音声の音量が昼間に対して夜間の方が小さくなるように設定してもよい。
【０１１５】
以上の各実施形態では、夜間設定モードにおいて表示画面の背景色として紺色を選択できるようにしているが、その背景色については、例えば濃い青色など他の任意の暗い色を選択できるようにしてもよい。また、夜間設定モードでの背景色は、２色以上の色から選択できるようにしてもよい。
【０１１６】
以上の各実施形態では、フィンガで輸液チューブを完全に圧閉する完全圧閉方式の輸液ポンプに本発明を適用した例について説明したが、本発明はこれに限定されず、輸液チューブを完全につぶさずに送液を行う押圧フィンガと、この押圧フィンガの輸液送り方向の上流側と下流側にそれぞれ配置され、輸液チューブの完全圧閉と開放とを行うバルブフィンガとを備えた中間圧閉方式の輸液ポンプにも適用可能である。また、本発明は、フィンガ式の輸液ポンプのほか、ローラ式のポンプやシリンジ式輸液ポンプなどの輸液装置にも適用可能である。
【産業上の利用可能性】
【０１１７】
本発明は、医療用の薬液を体内に注入する場合などに用いる輸液装置に利用することができる。
【符号の説明】
【０１１８】
１  輸液ポンプ
３  液晶表示部
３１  液晶パネル
４  操作部
４１  開始スイッチ
４２  停止スイッチ
４４  表示切替スイッチ
４５  数値設定アップスイッチ
４６  数値設定ダウンスイッチ
５  インジケータ
６  音発生部（ブザー）
【図１】
2015016200.tif 000003
【図２】
2015016200.tif 000004
【図３】
2015016200.tif 000005
【図４】
2015016200.tif 000006
【図５】
2015016200.tif 000007
【図６】
2015016200.tif 000008
【図７】
2015016200.tif 000009
【図８】
2015016200.tif 000010
【図９】
2015016200.tif 000011
【図１０】
2015016200.tif 000012
【図１１】
2015016200.tif 000013